(57)【要約】【課題】視野角特性を維持しつつ、光の利用効率を高めた表示装置を提供する。【解決手段】有機ＥＬ素子とレンズとを備えた画素を複数有する表示装置において、１画素が、レンズ２６が配置された発光領域と、レンズ２６が配置されていない発光領域とを有し、レンズ２６の配置が千鳥状であり、レンズ２６の基板面内方向における形状が円形であり、前記レンズが配置されていない発光領域の形状が概略矩形で、且つ、少なくとも一組の対向する辺の間隔が、中央付近よりも端部において広くなっている。【選択図】図４
2012252834.tif 000002
【特許請求の範囲】
【請求項１】
有機ＥＬ素子と、レンズと、を有する複数の画素を備え、
各画素は、レンズが配置された発光領域と、レンズが配置されていない発光領域と、を有し、
前記複数の画素それぞれにあるレンズの配置が、千鳥状であり、
前記レンズの基板の面内方向における形状が円形であり、
前記レンズが配置されていない発光領域の形状が概略矩形で、且つ、その少なくとも一組の対向する辺の間隔が、前記辺の中央付近よりも端部において広くなっていることを特徴とする表示装置。
【請求項２】
前記各画素が二つの有機ＥＬ素子を備え、一方の有機ＥＬ素子の発光領域にレンズが配置され、他方の有機ＥＬ素子の発光領域にレンズが配置されていない請求項１に記載の表示装置。
【請求項３】
前記レンズが配置された発光領域の形状が円形である請求項１又は２に記載の表示装置。
【請求項４】
間隔が中央付近よりも端部において広くなっている、前記対向する一組の辺の形状が、隣り合うレンズの端部の形状に沿っている請求項１乃至３のいずれか１項に記載の表示装置。
【発明の詳細な説明】
【技術分野】
【０００１】
本発明は、有機エレクトロルミネッセンス（ＥＬ）素子を用いた表示装置に関し、特に、光の正面の利用効率を高めることが可能な有機ＥＬ素子を用いた表示装置に関するものである。
【背景技術】
【０００２】
有機ＥＬ素子の課題として、光取り出し効率が悪いことが知られている。これは、有機ＥＬ素子では、発光層から光が様々な角度で出射するため、保護層と外部空間との境界面で全反射成分が多く発生し、発光光が素子内部に閉じ込められてしまうからである。この課題を解決するために、様々な構成が提案されている。例えば、特許文献１には、有機ＥＬ素子を封止する酸化窒化シリコン（ＳｉＮxＯy）膜上に樹脂からなるレンズアレイを配置して正面への光取り出し効率を向上させる構成が開示されている。
【先行技術文献】
【特許文献】
【０００３】
【特許文献１】特開２００４−３９５００号公報
【発明の概要】
【発明が解決しようとする課題】
【０００４】
特許文献１で示される有機ＥＬ素子の上にレンズアレイを配置する構成の場合、全反射していた成分を取り出すことができるという効果に加え、集光の効果が期待できる。これらの効果によって、有機ＥＬ素子を用いた表示装置の正面輝度（発光効率）の向上が実現できる。その一方で、特許文献１の形態では、表示装置の斜め方向の輝度は減少してしまうため、広い視野角特性が得られない。
【０００５】
本発明の目的は、表示装置において、視野角特性を維持しつつ、光の利用効率を高めた表示装置を提供することである。
【課題を解決するための手段】
【０００６】
本発明は、有機ＥＬ素子と、レンズと、を有する複数の画素を備え、
各画素は、レンズが配置された発光領域と、レンズが配置されていない発光領域と、を有し、
前記複数の画素それぞれにあるレンズの配置が、千鳥状であり、
前記レンズの基板の面内方向における形状が円形であり、
前記レンズが配置されていない発光領域の形状が概略矩形で、且つ、その少なくとも一組の対向する辺の間隔が、前記辺の中央付近よりも端部において広くなっていることを特徴とする表示装置である。
【発明の効果】
【０００７】
本発明によれば、レンズを有する表示装置において、レンズ径を大きく設定することができ、レンズの集光効果を高めることができる。よって、レンズによって視野角特性を維持しつつ、光の利用効率を高めた表示装置を提供可能である。
【図面の簡単な説明】
【０００８】
【図１】本発明の表示装置の実施形態１の平面概略図である。
【図２】本発明の表示装置の１画素の構成を示す断面模式図である。
【図３】本発明の表示装置におけるレンズ有無による輝度の視野角依存性を示す図である。
【図４】本発明の表示装置の実施形態１のレンズ配置と発光領域を示す平面模式図である。
【図５】図４の表示装置の部分拡大図である。
【図６】従来の表示装置のレンズ配置と発光領域を示す平面模式図である。
【図７】本発明の実施形態１の表示装置の画素回路図である。
【図８】本発明の実施形態２の表示装置の画素回路図である。
【図９】本発明の実施形態３の表示装置の平面概略図である。
【図１０】本発明の実施形態３の表示装置の画素回路図である。
【図１１】本発明の実施形態３の表示装置のレンズ配置と発光領域を示す平面模式図である。
【図１２】本発明の実施形態４の表示装置のレンズ配置と発光領域を示す平面模式図である。
【図１３】本発明の実施形態５の表示装置のレンズ配置と発光領域を示す平面模式図である。
【図１４】本発明の実施形態５の表示装置のレンズ配置と発光領域を示す平面模式図である。
【発明を実施するための形態】
【０００９】
本発明の表示装置は、有機ＥＬ素子と、レンズと、を有する複数の画素を備え、各画素は、レンズが配置された発光領域と、レンズが配置されていない発光領域とを有し、前記レンズの配置が、千鳥状であることを特徴とする。また、前記レンズの基板の面内方向における形状が円形であり、前記レンズが配置されていない発光領域の形状が概略矩形で、その少なくとも一組の対向する辺の間隔が、該辺の中央付近よりも端部において広くなっていることを特徴とする。
【００１０】
以下、本発明の表示装置について、実施形態を挙げて説明する。
【００１１】
図１は、ｍ行ｎ列画素の表示装置の平面概略図である。表示装置１１は、情報線１５に情報電圧を印加する情報線駆動回路１２、走査線１６を駆動する走査線駆動回路１３、情報電圧の値に従って画素に流す電流を制御する画素回路１４、から構成される。画素回路１４には、有機ＥＬ素子が含まれている。各画素回路１４は、情報線１５と走査線１６の交点に配置され、ｘ行ｙ列目に対応する情報信号に基づく表示をする。
【００１２】
図２は、本発明の表示装置の一実施形態に係る１画素に相当する部分を示す部分断面図である。本発明の表示装置は、基板２０と、有機ＥＬ素子３０，３１と、有機ＥＬ素子３０，３１間を分離する隔壁（素子分離層）２２とを有し、該隔壁２２により有機ＥＬ素子３０，３１の開口、即ち発光領域が規定される。有機ＥＬ素子３０，３１は、２つの電極間に挟まれた発光層を含む有機化合物層を備えたものである。具体的には、基板２０の上に設けられた第１電極２１と、第１電極２１上に設けられた有機化合物層２３と、有機化合物層２３の上に設けられた第２電極２４とを有しているものである。ここで、有機化合物層２３とは発光層を含む単層又は複数の層からなる積層体である。例えば、正孔輸送層、発光層、電子輸送層及び電子注入層からなる４層構成や、正孔輸送層、発光層及び電子輸送層からなる３層構成等が挙げられる。有機化合物層２３を構成する材料（有機発光材料、正孔輸送材料、電子輸送材料、電子注入材料等）は、公知の材料を使用することができる。また発光層に赤色発光材料、緑色発光材料、青色発光材料を形成することで、カラー表示が可能となる。
【００１３】
第１電極２１は、基板２０において基板面内方向に画素毎に複数設けられており、第２電極２４は複数の有機ＥＬ素子にわたって連続して設けられている。有機化合物層２３については、発光色毎に発光層の構成が異なるため、隣接する有機ＥＬ素子が同色の発光色の場合には発光層が共通して、発光層以外の層については全体で共通して形成される。図２の場合、有機ＥＬ素子３０と３１とは発光色が同色であるため、発光層は共通している。また、基板２０には有機ＥＬ素子をアクティブに駆動する駆動回路（不図示）が設けられている。また、第２電極２４の上には保護膜２５が設けられている。保護膜は光透過性であって、ＳｉＯやＳｉＮなどの無機材料、熱硬化性樹脂や光硬化性樹脂などの有機材料を用いることができる。図２では保護膜２５は下地にならって形成されている様な図になっているが、表面が平坦になっていてもよい。
【００１４】
図２における有機ＥＬ素子は、基板２０の上面側に発光を取り出す形態、即ちトップエミッション型であり、第１電極２１は光を反射する電極材料、第２電極２４は光透過性又は半透過性の特性を有する電極材料が好ましく選択される。尚、本発明はボトムエミッション型の有機ＥＬ素子にも適用可能である。
【００１５】
レンズ２６は、保護膜２５を介して発光面（光出射面）側に配置される。即ち、１画素を二つの有機ＥＬ素子３０，３１で構成し、一方の有機ＥＬ素子３０にはレンズ２６を配置し、他方の有機ＥＬ素子３１にはレンズ２６を配置しない。そして、有機ＥＬ素子３０と３１のそれぞれの発光領域は、隔壁２２を介して分割されている。
【００１６】
有機ＥＬ素子３０と有機ＥＬ素子３１は、後述するように、一体で駆動させる形態でも、独立して駆動させる形態であってもよい。
【００１７】
レンズ２６の材料としては、透明な熱硬化型樹脂、光硬化型樹脂、又は、熱可塑性樹脂などが選択できる。尚、レンズの形状は、基板２０の面内方向において円形である。また、レンズ２６は樹脂材料を加工することにより形成されている。具体的には、レンズ２６は、型押しなどの方法により形成可能である。それ以外にも、レンズは、下記ｉ）〜ｖ）のいずれかの方法によっても作製可能である。
ｉ）フォトリソなどによってパターニングされた樹脂層を熱処理し、リフローによって樹脂層をレンズ形状に変形させる方法。
ｉｉ）均一の厚さに形成された光硬化型樹脂層を、面内方向に分布を持った光で露光し、この樹脂層を現像することによってレンズを形成する方法。
ｉｉｉ）イオンビーム或いは電子ビーム、レーザー等を用いて、均一の厚さに形成された樹脂材料の表面をレンズ形状に加工する方法。
ｉｖ）各画素に適量の樹脂を滴下して自己整合的にレンズを形成する方法。
ｖ）有機ＥＬ素子が形成された基板とは別個に、レンズが予め形成された樹脂シートを用意し、両者をアライメントした後、貼り合せることによりレンズを形成する方法。
【００１８】
本発明は、レンズの形成方法に関して特有なものではないので、レンズ形成可能な方法であればどの方法でもよい。
【００１９】
また、封止構造としては、保護膜２５に封止性能を持たせても良く、レンズ２６の上面に封止膜を形成した構造でも良い。また、別体の封止筐体を基板２０と貼り合わせた中空封止構造を用いることもできる。
【００２０】
有機ＥＬ素子３０において、有機化合物層２３から出射された光は、第２電極２４を通過し、次いで保護膜２５、レンズ２６を透過して、表示装置の外へ出射する。
【００２１】
図３は、有機ＥＬ素子上にレンズを配置した領域（レンズ領域）とレンズを配置しない領域（非レンズ領域）のそれぞれの輝度の視野角分布を示した図である。
【００２２】
図３に示すように、レンズを介して最外層から外部に光を出射する方が、レンズが無い場合に比べて、出射角度が基板垂直方向に近づく。従って、レンズが無い場合に比較して、レンズが有る場合の方が垂直方向への光を集光する効果が高い。即ち、表示装置に対して正面方向における光の利用効率を高めることができる。尚、光の集光の程度は、レンズの形態、曲率、発光面からレンズまでの距離、発光面積に依存する。
【００２３】
一方、図２の有機ＥＬ素子３１おいて、有機化合物層２３から斜め方向に出射された光は、さらに斜めになって出射されるため、斜めからの視野に対する輝度を上げることに寄与する。
【００２４】
図４は本発明の表示装置の一実施形態のレンズ配置と発光領域を示す平面模式図である。図中、４１ａはレンズ領域の赤色の発光領域、４１ｂは非レンズ領域の赤色の発光領域である。また、４２ａはレンズ領域の緑色の発光領域、４２ｂは非レンズ領域の緑色の発光領域、４３ａはレンズ領域の青色の発光領域、４３ｂは非レンズ領域の青色の発光領域である。有機ＥＬ素子は、赤、緑、青ごとにストライプ状に形成されており、赤色発光領域４１ａ，４１ｂは赤色画素、緑色発光領域４２ａ，４２ｂは緑色画素、青色発光領域４３ａ，４３ｂは青色画素をなす。レンズ２６は、図４に示すように全体で千鳥状に配置されている。ここで、千鳥配置とは、ｎ列目の画素に配されたレンズ、ｎ＋１列目の画素に配されたレンズ、ｎ＋２列目の画素に配されたレンズ、に着目した時、これら３つのレンズの重心位置が列に垂直な方向の直線状にない配置である。
【００２５】
本発明においては、図４に例示するように、非レンズ領域の発光領域４１ｂ、４２ｂ、４３ｂの形状にも特徴を有している。具体的には、係る発光領域の形状が概略矩形で、且つ、少なくとも一組の対向する辺の間隔が、該辺の中央付近よりも端部において広くなるように設定されている。好ましくは、係る辺の形状は隣り合うレンズ２６の端部の形状に沿った形状である。図４においては、非レンズ領域の発光領域４１ｂ、４２ｂ、４３ｂの一組の対向する辺の形状が、隣り合う２６の端部の形状に沿った曲線となっている。
【００２６】
図５は、図４に示した本発明のレンズ配置及び発光領域と、レンズを千鳥配置にしただけで発光領域が矩形の場合とを重ねて示した平面模式図である。図中、破線で示す５６、５２ｂはレンズを千鳥配置しただけで発光領域が矩形の場合のレンズ、非レンズ領域の発光領域を示す。図５に示されるように、非レンズ領域の発光領域５２ｂを、面積を変えずに左右の辺を内側に窪ませた形状４２ｂとすることにより、レンズ径を大きくすることができる。
【００２７】
また、図６は、レンズ２４を千鳥状ではなく、直線状に配置して、且つレンズが配置されていない発光領域の形状を矩形にした場合の平面模式図である。図５，図６において、レンズ領域の発光領域を正方形として、その１辺の長さをａ、非レンズ領域の発光領域を長方形として各辺の長さをａ及び２ａ、紙面横方向の発光領域のピッチを２．５ａとする。また、図４において、レンズ領域の発光領域を正方形として、その１辺の長さをａ、紙面横方向の発光領域のピッチを２．５ａとする。レンズの半径は、図４の本発明では２．０６ａ、図５のレンズ５６は２ａ、図６は１．２５ａとなる。この時、図４乃至図６のいずれにおいてもレンズ領域及び非レンズ領域の発光領域の面積は変わらない。即ち、本発明では図５や図６の構成よりもレンズの集光効果を高めることができる。
【００２８】
次に、本発明の表示装置の動作について説明する。本発明において、赤、緑、青の３色でフルカラー表示する場合、各色を発光表示する各画素は前記したように、レンズ領域と非レンズ領域とを有する。そして、この２領域は、一体となって駆動することもできるし、独立して点灯・消灯を選択可能な画素回路で駆動することもできる。
【００２９】
２領域を一体となって駆動する場合、図３に示した光学特性により、レンズ領域によって正面輝度を高めつつ、非レンズ領域によって斜め方向への輝度の低下が抑制され、視野角特性が改善される。即ち、視野角特性を維持しつつ、光の利用効率を高めたものを提供することが可能である。
【００３０】
２領域を独立して駆動する場合、例えば、レンズ領域のみを点灯させた場合、表示装置は視野角特性の広い性能が得られる。また、レンズ領域のみを点灯させた場合、視野角特性は狭くなるが、正面の輝度は高い性能が得られる。さらに、レンズ領域を低電流で駆動することで、非レンズ領域と同じ輝度を低電流で得られるため、低消費電力になる。
【００３１】
従って、必要に応じて、表示装置の特性を、「広い視野角特性」か「正面輝度優先の特性」か「低消費電力優先の特性」かを選択できる。
【００３２】
〔実施形態１〕
図４に示したレンズ配置と発光領域を有する表示装置を、図１の構成で駆動する形態である。画素回路１４は１画素のレンズ領域及び非レンズ領域のそれぞれに対応して設けられる。つまり、１画素につき二つの画素回路１４が配置される。画素回路１４の構成例を図７に示す。
【００３３】
図７において、図１と同じ部材には同じ符号を付した。また、図７中の７１は有機ＥＬ素子、Ｍ１，Ｍ２はＴＦＴ（薄膜トランジスタ）、Ｃ１は容量、ＣＧＮＤは接地電位、Ｖ１は電源電位である。有機ＥＬ素子７１の第１電極はＴＦＴ（Ｍ２）のドレイン端子に接続されており、第２電極は接地電位ＣＧＮＤに接続されている。尚、図７の回路においては、Ｍ１、Ｍ２がｎＭＯＳの場合を述べている。ｐＭＯＳの場合には、ＨＩＧＨレベル（Ｈレベル）とＬＯＷレベル（Ｌレベル）とを逆にする必要ある。
【００３４】
図７の画素回路において、情報線１６に情報信号（Ｖｄａｔａ）が入力され、当該回路に情報が書き込まれる時、走査線１５にはＨレベルの信号が入力される。これにより、ＶｄａｔａによりＭ１の電力駆動能力に応じた電圧が、Ｍ２のゲート端子とＶ１の間に配置されたＣ１に生じる。次に、書き込まれた情報電圧の保持に従って有機ＥＬ素子７１に電流を供給する時は、走査線１５にＬレベル信号を入力する。この時Ｍ１がＯＦＦ、Ｍ３がＯＮであるため、Ｃ１に生じた電圧により、Ｍ２の電流駆動能力に応じた電流が有機ＥＬ素子７１に供給され、その供給された電流に応じた輝度で有機ＥＬ素子７１が発光する。
【００３５】
本例では、図７の画素回路がレンズ領域と非レンズ領域のそれぞれに配置されるので、解像度は半分になるが、１画素のレンズ領域と非レンズ領域とを個別に発光させることが可能である。図３に示した光学特性により、２つの領域を同時に或いは時系列に駆動することで視野角特性も維持しながら正面輝度向上或いは低消費電力化も行なえる。
【００３６】
〔実施形態２〕
本例は、図１の画素回路１４として、図８に示す駆動回路を設け、一つの画素回路１４において、レンズ領域と非レンズ領域を有する１画素を駆動する形態である。よって、画素回路１４には、レンズが配置された有機ＥＬ素子３０とレンズが配置されていない有機ＥＬ素子３１の両者が配置され、且つ有機ＥＬ素子３０，３１の第１電極側が共通の駆動トランジスタＭ２のドレインに接続されている。
【００３７】
本例では、レンズ領域と非レンズ領域の２領域を一体となって駆動するため、図３に示した光学特性により、レンズ領域によって正面輝度を高めつつ、非レンズ領域によって斜め方向への輝度の低下が抑制され、視野角特性が改善される。即ち、視野角特性を維持しつつ、光の利用効率を高めたものを提供することが可能である。
【００３８】
〔実施形態３〕
図９に本例の表示装置１１の平面概略図を、図１０に画素回路１４の構成例を示す。図中の符号は図１，図４と同様である。本例においては、発光領域の選択制御線駆動回路８４（ｘ行目の有機ＥＬ素子３０或いは３１の選択）、２本の選択制御線８７、８８を含んで構成される。ここで画素回路１４は、赤、緑、青のいずれかの発光色の有機ＥＬ素子を有する。また、本例においては、有機ＥＬ素子３０の第１電極はＴＦＴ（Ｍ３）のドレイン端子に接続されており、第２電極は接地電位ＣＧＮＤに接続されている。有機ＥＬ素子３１の第１電極はＴＦＴ（Ｍ４）のドレイン端子に接続されており、第２電極は接地電位ＣＧＮＤに接続されている。
【００３９】
本例の画素回路の動作について説明する。尚、Ｍ３、Ｍ４はｎＭＯＳの場合を述べている。ｐＭＯＳの場合には、Ｈレベル、Ｌレベルを逆にする必要がある。
【００４０】
図１０の画素回路において、情報線１６に情報信号（Ｖｄａｔａ）が入力され、当該回路に情報が書き込まれる時、走査線１５にはＨレベルの信号が、選択制御線８７，８８にはＬレベルの信号が入力され、Ｍ１がＯＮ、Ｍ３，Ｍ４がＯＦＦとなる。Ｍ３，Ｍ４がＯＦＦであるため、有機ＥＬ素子３０，３１には電流が流れず、ＶｄａｔａによりＭ１の電流駆動能力に応じた電圧が、Ｍ２のゲート端子とＶ１の間に配置されたＣ１に生じる。
【００４１】
次に、書き込まれた情報電圧の保持に従って有機ＥＬ素子３０に電流を供給する時は、選択制御線８７にＬレベル、選択制御線８８にはＨレベルの信号を入力する。この時、Ｍ１がＯＦＦ、Ｍ３がＯＮ、Ｍ４がＯＦＦとなる。Ｍ３がＯＮであるため、Ｃ１に生じた電圧により、Ｍ２の電流駆動能力に応じた電流が有機ＥＬ素子３０に供給され、その供給された電流に応じた輝度で有機ＥＬ素子３０が発光する。また、逆に有機ＥＬ素子３１に電流を供給する時は、走査線１６にはＬレベル、選択制御線８７にはＬレベル、選択制御線８８にはＨレベルの信号を入力する。この時、Ｍ１がＯＦＦ、Ｍ３がＯＦＦ、Ｍ４がＯＮとなる。Ｍ４がＯＮであるため、Ｃ１に生じた電圧により、Ｍ２の電流駆動能力に応じた電流が有機ＥＬ素子３１に供給され、その供給された電流に応じた輝度で有機ＥＬ素子３１が発光する。このように、選択制御線８７，８８に入力する信号をＨレベル、Ｌレベルと切り替えることで、有機ＥＬ素子３０，３１を独立して制御することができる。
【００４２】
従って、本例の表示装置を、「広い視野角特性」か「正面輝度（発光効率）優先の特性」のどちらかを選択して制御することが可能となる。
【００４３】
図１１は本実施形態にかかる表示装置のレンズ配置と発光領域を示す平面模式図であり、図中の符号は図４と同様である。本例では、図４の配置よりもレンズ同士が近接するようにレンズ２６を配置した。図１１に示すように、レンズ領域の発光領域４１ａ，４２ａ，４３ａと、非レンズ領域の発光領域４１ｂ、４２ｂ、４３ｂの面積が互いに異なり、非レンズ領域の発光領域４１ｂ、４２ｂ、４３ｂの方が広い。このように発光面積を変えることで、有機ＥＬ素子から所望の輝度を得るための電流を小さくできるため、有機ＥＬ素子の寿命が改善される。
【００４４】
従って、本例では、「広い視野角特性」か「正面輝度（発光効率）優先の特性」のどちらかを選択して制御することが可能となる。
【００４５】
〔実施形態４〕
図１２は本実施形態にかかる表示装置のレンズ配置と発光領域を示す平面模式図であり、図中の符号は図４と同様である。本例では、図１１と同様のレンズ配置にさらに、非レンズ領域の発光領域４１ｂ、４２ｂ、４３ｂの形状が最大になるように、二組の対向する辺をいずれも隣り合うレンズ２６の端部の形状に沿わせている。このように、発光領域４１ｂ、４２ｂ、４３ｂの面積をさらに大きくすることで、有機ＥＬ素子から所望の輝度を得るための電流を小さくできるため、有機ＥＬ素子の寿命が改善される。
【００４６】
〔実施形態５〕
図１３、図１４は本実施形態にかかる表示装置のレンズ配置と発光領域を示す平面模式図であり、図中の符号は図４と同様である。本例では、レンズ領域の発光領域４１ａ，４２ａ，４３ａの形状を円形にしている。このように発光領域４１ａ，４２ａ，４３ａに対してレンズ２６が全方位角に対して同じ位置関係にあるので、これによりレンズ２６を介して取り出される光の視野角特性が見る方向（上下左右方向か、斜め方向か）による差異を抑制することができる。
【００４７】
〔実施形態６〕
通常の表示装置では、赤（Ｒ）、緑（Ｇ）、青（Ｂ）の３色の明るさ比率を変えて組み合わせることでカラー表示を行っている。このＲＧＢの最小単位内の各色の配置は、本発明においても複数種類ある。例えば、図１１、図１３、図１４の点線で囲んだ領域１０５がＲＧＢの最小単位の例である。それぞれの最小単位内にＲＧＢそれぞれに対してレンズ領域と非レンズ領域が配置されている。いずれにおいても、レンズ領域によって正面輝度を高めつつ、非レンズ領域によって斜め方向への輝度の低下が抑制され、視野角特性が改善される。即ち、視野角特性を維持しつつ、光の利用効率を高めたものを提供することが可能である。
【符号の説明】
【００４８】
１１：表示装置、２６：レンズ、３０，３１：有機ＥＬ素子、４１ａ，４１ｂ：赤色の発光領域、４２ａ，４２ｂ：緑色の発光領域、４３ａ，４３ｂ：青色の発光領域
【図１】
2012252834.tif 000003
【図２】
2012252834.tif 000004
【図３】
2012252834.tif 000005
【図４】
2012252834.tif 000006
【図５】
2012252834.tif 000007
【図６】
2012252834.tif 000008
【図７】
2012252834.tif 000009
【図８】
2012252834.tif 000010
【図９】
2012252834.tif 000011
【図１０】
2012252834.tif 000012
【図１１】
2012252834.tif 000013
【図１２】
2012252834.tif 000014
【図１３】
2012252834.tif 000015
【図１４】
2012252834.tif 000016